(57)【要約】【課題】多くのプレーヤを幅広く参加させること、及び、その結果、ゲーム開始前の待機時間の発生や当該待機時間が長期間になることを抑制し、かつ、ゲーム全体を活性化させること。【解決手段】サーバ装置１０は、ゲームに参加する個々のプレーヤの能力やレベルに応じて、ゲームをクリアする際のクリア条件やゲーム中に獲得可能なアイテムの獲得条件などのゲーム中に達成すべき条件を変化させ、例えば、レベルや能力の低いプレーヤがレベルや能力の高いプレーヤに混在した状態でゲームが実行されたとしても、高レベルプレーヤだけでなく、低レベルプレーヤであっても、達成条件さえ具備すれば特典などを獲得させることが可能な構成を有している。【選択図】図４
2020162728.tif 000002
【特許請求の範囲】
【請求項１】
プレーヤキャラクタを用いて複数のプレーヤが参加するゲームを実行するゲームシステムであって、
記憶手段に記憶されている各プレーヤに関するプレーヤ関連情報に基づいて、当該各プレーヤの前記ゲームに参加する複数のプレーヤの中における相対的な序列を判定する序列判定処理を実行する第１判定手段と、
前記序列判定処理の結果に基づいて、前記ゲームに参加するプレーヤ毎に、該当するプレーヤが当該ゲーム中に達成すべき達成条件を設定する設定手段と、
所与のタイミングで、前記プレーヤ毎に、前記設定された達成条件を達成したか否かを判定する条件達成判定処理を実行する第２判定手段と、
前記条件達成判定処理の結果を、該当するプレーヤに提示する提示手段と、
を備えることを特徴とするゲームシステム。
【請求項２】
請求項１に記載のゲームシステムにおいて、
前記第１判定手段が、
前記プレーヤ関連情報として、前記各プレーヤの過去のゲームにおいて各プレーヤに設定された目標達成度合いを示す情報に基づいて、前記各プレーヤの序列を判定する、ゲームシステム。
【請求項３】
請求項２に記載のゲームシステムにおいて、
前記第１判定手段が、
前記プレーヤ関連情報として、前記目標達成度合い及び前記各プレーヤの過去のゲームの結果の情報に基づいて、前記各プレーヤの序列を判定する、ゲームシステム。
【請求項４】
請求項１〜３のいずれか１項に記載のゲームシステムにおいて、
前記条件達成判定処理の結果に基づいて、前記達成条件を具備したプレーヤキャラクタ又は当該プレーヤキャラクタを操作するプレーヤに対して所与の特典を付与する特典付与制御手段を更に備える、ゲームシステム。
【請求項５】
請求項４に記載のゲームシステムにおいて、
前記特典付与制御手段が、
前記達成条件が数量に関する条件の場合には、当該達成条件を超える数量に応じて、前記付与する特典を変化させる、ゲームシステム。
【請求項６】
請求項４又は５に記載のゲームシステムにおいて、
前記特典付与制御手段が、
前記達成条件が達成するまでの期間に応じて、前記付与する特典を変化させる、ゲームシステム。
【請求項７】
請求項４〜６のいずれか１項に記載のゲームシステムにおいて、
前記特典付与制御手段が、
複数のプレーヤから構成されるチームとして前記ゲームに参加するプレーヤに対しては、前記条件達成判定処理によって同一のチームに所属するすべてのプレーヤに設定された達成条件を具備したと判定された場合には、前記付与する所与の特典を変化させ、又は、当該付与する所与の特典とともに特別な特典を追加付与する、ゲームシステム。
【請求項８】
請求項４〜７のいずれか１項に記載のゲームシステムにおいて、
前記特典付与制御手段が、
前記条件達成判定処理によって前記達成条件を具備したと判定された場合には、該当
するプレーヤの前記ゲームにおける結果に応じて、前記付与する特典を変化させる、ゲームシステム。
【請求項９】
請求項４〜８のいずれか１項に記載のゲームシステムにおいて、
前記特典付与制御手段が、
前記条件達成判定処理によって前記達成条件を具備していないと判定された場合には、該当するプレーヤに対して不利益を付与する、ゲームシステム。
【請求項１０】
請求項１〜９のいずれか１項に記載のゲームシステムにおいて、
前記ゲームに参加するプレーヤ毎に設定される前記達成条件には、他のプレーヤと共同で達成すべき条件が含まれる、ゲームシステム。
【請求項１１】
請求項１〜１０のいずれか１項に記載のゲームシステムにおいて、
前記該当するプレーヤとは、前記達成条件が設定されたプレーヤ、又は、当該プレーヤを含む複数のプレーヤから構成されるチームに属する他のプレーヤである、ゲームシステム。
【請求項１２】
請求項１〜１１のいずれか１項に記載のゲームシステムにおいて、
前記設定手段が、
前記序列判定処理の結果とともに、前記ゲームに参加する全プレーヤのプレーヤ関連情報に基づいて、前記プレーヤ毎の前記達成条件を設定する、ゲームシステム。
【請求項１３】
プレーヤキャラクタを用いて複数のプレーヤが参加するゲームを実行するためのプログラムであって、
記憶手段に記憶されている各プレーヤに関するプレーヤ関連情報に基づいて、当該各プレーヤの前記ゲームに参加する複数のプレーヤの中における相対的な序列を判定する序列判定処理を実行する第１判定手段、
前記序列判定処理の結果に基づいて、前記ゲームに参加するプレーヤ毎に、該当するプレーヤが操作するプレーヤキャラクタによって当該ゲーム中に達成すべき達成条件を設定する設定手段、
所与のタイミングで、前記プレーヤ毎に、前記設定された達成条件を達成したか否かを判定する条件達成判定処理を実行する第２判定手段、及び、
前記条件達成判定処理の結果を、該当するプレーヤに提示する提示手段、
としてコンピュータを機能させることを特徴とするプログラム。
【発明の詳細な説明】
【技術分野】
【０００１】
本発明は、ゲームシステム及びプログラムなどに関する。
【背景技術】
【０００２】
従来から、複数のプレーヤやチームが一つのゲームの世界に参加し、最後まで当該ゲームを続けることができたプレーヤ又はチームを勝者として認めるバトルロイヤル形式のゲーム、又は、ロールプレーイングゲーム形式のゲーム（ＭＭＯＲＰＧ：Ｍａｓｓｉｖｅｌｙ  Ｍｕｌｔｉｐｌａｙｅｒ  Ｏｎｌｉｎｅ  Ｒｏｌｅ−Ｐｌａｙｉｎｇ  Ｇａｍｅ／マッシブリーマルチプレイヤーオンラインロールプレーイングゲーム）などが知られている。
【０００３】
また、このような多人数参加型ゲームを実行するゲームシステムにおいては、プレーヤのレベル差や能力差が大きいと、レベルや能力が低いプレーヤはゲーム開始後にすぐ敗退するなどによってゲームを堪能できず、レベルや能力が高いプレーヤは手応えがない相手プレーヤが多く、ゲームを興趣できないことも多い。
【０００４】
そこで、最近は、プレーヤや当該プレーヤが操作するプレーヤキャラクタのランクなどに基づいて、マッチングを実行し、能力差やレベル差が少ないプレーヤ同士でゲームを実行するゲームシステムが知られている（例えば、特許文献１）。
【先行技術文献】
【特許文献】
【０００５】
【特許文献１】特許５２０９０９４号公報
【発明の概要】
【発明が解決しようとする課題】
【０００６】
しかしながら、特許文献１に記載のゲームシステムにあっては、レベル差や能力差のあるプレーヤ同士が参加するゲームを実行することができないので、プレーヤ同士の交流が限定的になることも多く、ゲームを活性化させるための１つの要素となり得る、レベル差を超えたプレーヤ同士のコミュニケーションの広がりは期待できない。
【０００７】
また、特許文献１に記載のゲームシステムにあっては、同じようなレベルや能力のプレーヤが参加をしなければゲームそのものを開始することができないことから、場合によっては、ゲームの実行を希望してから当該ゲームが開始するまでに、相当な期間が必要な場合も生じ、特に、大人数（例えば、１００人など）によってゲームの実行する場合には、そもそもゲーム自体が成立しないことを発生する可能性がある。
【０００８】
本発明は、上記課題を解決するためになされたものであり、その目的は、多くのプレーヤを幅広く参加させること、及び、その結果、ゲーム開始前の待機時間の発生や当該待機時間が長期間になることを抑制し、かつ、ゲーム全体を活性化させることが可能なゲームシステムなどを提供することにある。
【課題を解決するための手段】
【０００９】
（１）上記課題を解決するため、本発明は、
プレーヤキャラクタを用いて複数のプレーヤが参加するゲームを実行するゲームシステムであって、
記憶手段に記憶されている各プレーヤに関するプレーヤ関連情報に基づいて、当該各プ
レーヤの前記ゲームに参加する複数のプレーヤの中における相対的な序列を判定する序列判定処理を実行する第１判定手段と、
前記序列判定処理の結果に基づいて、前記ゲームに参加するプレーヤ毎に、該当するプレーヤが操作するプレーヤキャラクタによって当該ゲーム中に達成すべき達成条件を設定する設定手段と、
所与のタイミングで、前記プレーヤ毎に、前記設定された達成条件を達成したか否かを判定する条件達成判定処理を実行する第２判定手段と、
前記条件達成判定処理の結果を、該当するプレーヤに提示する提示手段と、
を備える、構成を有している。
【００１０】
この構成により、本発明は、ゲームに参加する個々のプレーヤ（以下、「参加プレーヤ」ともいう。）の能力やレベルなどに応じて、ゲームをクリアする際のクリア条件やゲーム中に獲得可能なアイテムの獲得条件などのゲーム中に達成すべき条件を変化させることができるので、レベル（ゲームに対するプレーヤのレベル、ゲームレベル又はプレーヤレベル）の差や能力差が大きい複数の参加プレーヤによってゲームが実行された場合であっても、個々のプレーヤがそれぞれゲームを興趣することができる。
【００１１】
すなわち、本発明は、例えば、レベルや能力の低いプレーヤ（以下、「低レベルプレーヤ」という。）がレベルや能力の高いプレーヤ（以下、「高レベルプレーヤ」という。）に混在した状態でゲームが実行されたとしても、高レベルプレーヤだけでなく、低レベルプレーヤであっても、達成条件さえ具備すれば特典などを獲得させることができる。
【００１２】
したがって、本発明は、レベル差や能力差を気にすることなく種々の複数のプレーヤが複数のプレーヤによって実行されるゲームを実現することができるので、多くのプレーヤを幅広く参加させることができる。
【００１３】
特に、本発明は、１００人以上などの大人数のプレーヤを集めてゲームを実行する場合には、参加するプレーヤを集めてゲームを開始するまでの期間を短期間にすることがでるので、参加を希望するプレーヤを長時間待たせることなく、ゲームを実行させることができる。
【００１４】
すなわち、本発明は、複数のプレーヤの参加型のゲームにおいて、プレーヤの待機期間を抑制して迅速なゲームの提供を行うことができる。
【００１５】
この結果、本発明は、プレーヤの待機時間があることによって生ずる不満を解消することができるとともに、ゲーム全体を活性化させることができる。
【００１６】
なお、「複数のプレーヤが参加するゲーム」としては、ＲＰＧ、レースゲーム、アクションゲーム、対戦ゲーム、コミュニケーションゲーム、シューティングゲームなどの複数のプレーヤがプレーヤキャラクタを用いて実行するゲームであればよい。ただし、例えば、バトルロワイヤル形式などの多人数のプレーヤ間によって対戦する対戦ゲームに、本発明を適用することが好ましい。
【００１７】
特に、このようなゲームを実行する場合においては、参加を希望するプレーヤを、人数を制限して、又は、人数制限なく参加させてもよいし、プレーヤのゲームレベルやプレーヤが存在する地域（ネットワークを用いてゲームを実行際のネットワーク的な距離）などに基づいて参加するプレーヤをマッチングさせるマッチング処理を実行してもよい。
【００１８】
また、「プレーヤ関連情報」には、プレーヤに関するプレーヤ情報の他に、当該プレーヤの操作対象となるプレーヤキャラクタに関する情報も含まれる。特に、プレーヤ関連情
報は、今までのゲームにおける成績やアイテムの獲得などの実績を含み、ゲーム結果に基づく情報などである。
【００１９】
例えば、プレーヤ情報には、ゲームレベル、能力、経験値、ゲーム履歴（ゲームに参加した総時間や参加回数）、及び、課金履歴（課金日や課金額を含む）が含まれ、プレーヤキャラクタ情報には、キャラクタレベル、各能力を規定するパラメータ、属性、戦闘回数、及び、保有するアイテム（種別や能力値を含む。）が含まれる。
【００２０】
そして、「複数のプレーヤの中における位置付け」には、
（Ａ１）例えば、ゲーム上設定され、ゲームの進行などに基づいてプレーヤが獲得したレベルなどプレーヤが属するレベル（プレーヤのゲームレベル／プレーヤレベル）、
（Ａ２）保有しているアイテム（武器）の有無（複数のアイテムの組み合わせも含む。）若しくはレベル（最高レベルのアイテムのレベル若しくは複数のアイテムの平均のレベル）、
（Ａ３）プレーヤキャラクタ（能力に基づく強さ）のレベル、
（Ａ４）得点や経験値などのパラメータの値、
（Ａ５）ゲームに参加した総時間、参加回数、若しくは、他のプレーヤとの対戦履歴、又は、
（Ａ６）複数のプレーヤによって構成されるグループのゲームの進行などによって定まるレベル、
に基づく各プレーヤの順位付け、偏差値の算出、又は、属する範囲（ランク）への分類などが含まれる。
【００２１】
さらに、「達成条件」としては、例えば、序列が高い場合には、達成条件を成立し難い厳しい条件、又は、序列が低い場合には、達成条件を成立しやすい容易な条件が設定される。
【００２２】
特に、「達成条件」としては、条件が設定されない場合を含み、例えば、この場合には、弱者救済の観点からは、レベルや能力の低いプレーヤに対してのみ達成条件が設定される一方で、レベルや能力の高いプレーヤに対しては、達成条件が設定されない。
【００２３】
上記に加えて、条件達成判定処理を実行する「所与のタイミング」としては、ゲーム中であっても、ゲーム終了後であってもよい。
【００２４】
また、「条件達成判定処理の結果を、該当するプレーヤに提示する」において、「該当するプレーヤ」には、達成条件が設定されたプレーヤだけでなく、当該プレーヤが属するチームの各プレーヤが含まれてもよい。
【００２５】
そして、当該「プレーヤに提示する」には、ゲーム中にゲーム画面上に重複表示してもよいし、音によって提示することも含まれる。
【００２６】
（２）また、本発明は、
前記第１判定手段が、
前記プレーヤ関連情報として、前記各プレーヤの過去のゲームにおいて各プレーヤに設定された目標達成度合いを示す情報に基づいて、前記各プレーヤの序列を判定する、構成を有している。
【００２７】
この構成により、本発明は、各プレーヤの実力が反映されたゲーム結果となる目標達成度合いに基づいて、各プレーヤの序列を判定することができるので、各プレーヤに対する適切な達成条件を設定することができる。
【００２８】
したがって、本発明は、各プレーヤのレベルや能力に沿ったゲームを実行することができるので、レベル差や能力差を気にすることなく種々の複数のプレーヤが複数のプレーヤによって実行されるゲームを実現することができる。
【００２９】
（３）また、本発明は、
前記第１判定手段が、
前記プレーヤ関連情報として、前記目標達成度合い及び前記各プレーヤの過去のゲームの結果の情報に基づいて、前記各プレーヤの序列を判定する、構成を有している。
【００３０】
この構成により、本発明は、各プレーヤの適切な実力と客観的な指標に基づいて、各プレーヤの序列を判定することができるので、各プレーヤに対する適切な達成条件を設定することができる。
【００３１】
したがって、本発明は、各プレーヤのレベルや能力に沿ったゲームを実行することができるので、レベル差や能力差を気にすることなく種々の複数のプレーヤが複数のプレーヤによって実行されるゲームを実現することができる。
【００３２】
（４）また、本発明は、
請求項１に記載のゲームシステムにおいて、
前記条件達成判定処理の結果に基づいて、前記達成条件を具備したプレーヤキャラクタ又は当該プレーヤキャラクタを操作するプレーヤに対して所与の特典を付与する特典付与制御手段を更に備える、構成を有している。
【００３３】
この構成により、本発明は、所与の特典として、達成条件を具備したプレーヤキャラクタ又はプレーヤに対してゲームに用いるアイテム（ライフを含む。）・ゲーム内通貨・府プレーヤキャラクタの新たな能力（特殊能力など）・ポイントを付与し、エネルギーパラメータ若しくは能力パラメータなどのゲーム中に変動するパラメータの値を回復させ、又は、ガチャなどの抽選手段における当選確率（レア度の当選確率も含む。）を変更することができる。
【００３４】
したがって、本発明は、レベル差又は能力差に関係なく、積極的にゲームに参加させるモチベーションを提供することができる。
【００３５】
なお、「特典の付与」には、例えば、ポイント・経験値・所与の能力の能力値などのパラメータ、得点、プレーヤキャラクタが使用するアイテムや能力、ゲーム内通貨、及び、ガチャを実行する権利や当該ガチャによって獲得するアイテムの当選確率やレア度を変更するための権利などが含まれる。
【００３６】
特に、「特典」は、プレーヤのレベルのレベル差や能力差が無関係に達成条件を具備した場合には付与されるが、当該レベルや能力が高いほど、当該レベルや能力が低いプレーヤのプレーヤキャラクタが達成条件を具備した場合に比べて、付与される特典の価値が高くなることが好ましい。
【００３７】
（５）また、本発明は、
前記特典付与制御手段が、
前記達成条件が数量に関する条件の場合には、当該達成条件を超える数量に応じて、前記付与する特典を変化させる、構成を有している。
【００３８】
この構成により、本発明は、達成条件以上の特典や経験値、アイテム数などを獲得した
場合には、量や質が向上した特典を付与させることができるので、ゲーム終了前までに達成条件を達成したとしてもさらに当該達成条件に関する数量を上積みするためにプレーヤにゲームの継続を促すことができる。
【００３９】
したがって、本発明は、ゲーム終了までプレーヤにゲームの興趣性を維持させることができるので、ゲーム終了までゲームを活性化させることができる。
【００４０】
なお、「特典を変化させる」とは、特典の質・レベル・レア度などを向上させること、及び、特典の量を増加させることを含む。
【００４１】
（６）また、本発明は、
前記特典付与制御手段が、
前記達成条件が達成するまでの期間に応じて、前記付与する特典を変化させる、構成を有している。
【００４２】
この構成により、本発明は、ゲーム開始から達成条件が達成するまでの期間が短期間であればあるほど、量や質が向上した特典を付与させることができるので、短期間で達成条件を達成させることをプレーヤに促すとともに、そのための戦略を構築させるなどプレーヤに対して新たな興趣性を提供することができる。
【００４３】
なお、「特典を変化させる」とは、上記と同様に、特典の質・レベル・レア度などを向上させること、及び、特典の量を増加させることを含む。
【００４４】
（７）また、本発明は、
前記特典付与制御手段が、
複数のプレーヤから構成されるチームとして前記ゲームに参加するプレーヤに対しては、前記条件達成判定処理によって同一のチームに所属するすべてのプレーヤに設定された達成条件を具備したと判定された場合には、前記付与する所与の特典を変化させ、又は、当該付与する所与の特典とともに特別な特典を追加付与する、構成を有している。
【００４５】
この構成により、本発明は、レベル差や能力差があるプレーヤとチームが構成された場合であっても、又は、レベルや能力の低い若しくは高いプレーヤによってチームが構成された場合であっても、チーム戦としてのゲームの興趣性を向上させることができるとともに、いかなるプレーヤであってもゲームに興趣性をもたせることができる。
【００４６】
なお、「特典を変化させ」とは、上記と同様に、特典の質・レベル・レア度などを向上させること、及び、特典の量を増加させることを含む。
【００４７】
また、「特別な特典を追加付与する」とは、達成条件を具備することによって付与される特典の他に、ボーナス的な特典が追加して付与されることを含む。例えば、特別な特典には、個々に付与される特典と同一の特典であってもよいし、異なる特典であってもよい。
【００４８】
（８）また、本発明は、
前記特典付与制御手段が、
前記条件達成判定処理によって前記達成条件を具備したと判定された場合には、該当するプレーヤの前記ゲームにおける結果に応じて、前記付与する特典を変化させる、構成を有している。
【００４９】
この構成により、本発明は、プレーヤがゲーム結果についても好結果を求めることとな
るので、プレーヤのゲームの実行に対するモチベーションを向上させることができる。
【００５０】
（９）また、本発明は、
前記特典付与制御手段が、
前記条件達成判定処理によって前記達成条件を具備していないと判定された場合には、該当するプレーヤに対して不利益を付与する、構成を有している。
【００５１】
この構成により、本発明は、プレーヤがゲーム結果について好結果を収めなければ、不利益を被るので、プレーヤのゲームの実行に対するモチベーションを向上させることができる。
【００５２】
（１０）また、本発明は、
前記ゲームに参加するプレーヤ毎に設定される前記達成条件には、他のプレーヤと共同で達成すべき条件が含まれる、構成を有している。
【００５３】
この構成により、本発明は、複数のプレーヤから構成されるチーム毎に達成条件を設定することができるので、チーム戦を行うゲームにおいても適用することができる。
【００５４】
なお、「共同で達成すべき条件」とは、チームに属する個々のプレーヤに設定された達成条件の他に設定された条件であってもよいし、各プレーヤに設定された達成条件そのものであってもよい。
【００５５】
（１１）また、本発明は、
前記該当するプレーヤとは、前記達成条件が設定されたプレーヤ、又は、当該プレーヤを含む複数のプレーヤから構成されるチームに属する他のプレーヤである、構成を有している。
【００５６】
この構成により、本発明は、達成条件の具備によって利益が付与されるプレーヤに各達成条件を提供させることができるので、ユーザのゲームに対する操作性を向上させることができる。
【００５７】
（１２）また、本発明は、
前記設定手段が、
前記序列判定処理の結果とともに、前記ゲームに参加する全プレーヤのプレーヤ関連情報に基づいて、前記プレーヤ毎の前記達成条件を設定する、構成を有している。
【００５８】
この構成により、本発明は、例えば、レベルが高い他のプレーヤが多い場合には、レベルが低いプレーヤの達成条件やレベルの高いプレーヤの達成条件を全体的に低くすること、又は、レベルが低い他のプレーヤが多い場合には、レベルが低いプレーヤやレベルが高いプレーヤの達成条件を全体的に高くすることができる。
【００５９】
すなわち、本発明は、参加する他のプレーヤのレベル、順位又は偏差値によっては、プレーヤの序列だけではなく、ゲーム自体の進み具合（難しさ）が変動するので、このようなゲーム状況に沿った達成条件に変化させることができる。
【００６０】
したがって、本発明は、本来のゲームとのバランスを考慮して達成条件を設定することができるので、ゲームの興趣性を向上させることができる。
【００６１】
（１３）また、上記課題を解決するため、本発明は、
プレーヤキャラクタを用いて複数のプレーヤが参加するゲームを実行するためのプログ
ラムであって、
記憶手段に記憶されている各プレーヤに関するプレーヤ関連情報に基づいて、当該各プレーヤの前記ゲームに参加する複数のプレーヤの中における相対的な序列を判定する序列判定処理を実行する第１判定手段、
前記序列判定処理の結果に基づいて、前記ゲームに参加するプレーヤ毎に、該当するプレーヤが操作するプレーヤキャラクタによって当該ゲーム中に達成すべき達成条件を設定する設定手段、
所与のタイミングで、前記プレーヤ毎に、前記設定された達成条件を達成したか否かを判定する条件達成判定処理を実行する第２判定手段、及び、
前記条件達成判定処理の結果を、該当するプレーヤに提示する提示手段、
としてコンピュータを機能させる、構成を有している。
【００６２】
この構成により、本発明は、レベル差や能力差を気にすることなく種々の複数のプレーヤが複数のプレーヤによって実行されるゲームを実現することができるので、多くのプレーヤを幅広く参加させることができる。
【００６３】
また、本発明は、複数のプレーヤの参加型のゲームにおいて、プレーヤの待機期間を抑制して迅速なゲームの提供を行うことができる。
【００６４】
したがって、本発明は、プレーヤの待機時間があることによって生ずる不満を解消することができるとともに、ゲーム全体を活性化させることができる。
【図面の簡単な説明】
【００６５】
【図１】一実施形態のゲームシステムの構成を示すシステム構成の一例を示す図である。
【図２】一実施形態のサーバ装置の機能ブロックを示す図である。
【図３】一実施形態の端末装置の機能ブロックを示す図である。
【図４】一実施形態におけるプレーヤ毎の達成条件に基づいてゲームを実行するゲーム処理の概要を説明するための図である。
【図５】一実施形態において用いられるプレーヤ関連情報の例を示す図である。
【図６】一実施形態における序列判定処理について説明するための図である。
【図７】一実施形態における達成条件設定処理を説明するための図である。
【図８】一実施形態における特典付与制御処理を説明するための図（その１）である。
【図９】一実施形態における特典付与制御処理を説明するための図（その２）である。
【図１０】一実施形態における特典付与制御処理を説明するための図（その３）である。
【図１１】一実施形態におけるサーバ装置によって実行されるゲーム処理（プレーヤ毎の達成条件に基づいてゲームを実行するゲーム処理）の動作を示すフローチャートである。
【発明を実施するための形態】
【００６６】
以下、本実施形態について説明する。なお、以下に説明する本実施形態は、特許請求の範囲に記載された本発明の内容を不当に限定するものではない。また本実施形態で説明される構成の全てが、本発明の必須構成要件であるとは限らない。
【００６７】
［１］ゲームシステム
まず、図１を用いて本実施形態のゲームシステム１の概要及び概要構成について説明する。なお、図１は、本実施形態のゲームシステム１の構成を示すシステム構成の一例を示す図である。
【００６８】
本実施形態のゲームシステム１は、図１に示すように、ゲームサービスを提供するサーバ装置１０と、端末装置２０（例えば、端末装置２０Ａ、２０Ｂ、２０Ｃ）とが、インターネット（ネットワークの一例）に接続可能に構成されている。
【００６９】
ユーザは、端末装置２０からサーバ装置１０にアクセスすることにより、インターネットを介してサーバ装置１０から送信されてくるゲームをプレーすることができる。さらに、ユーザは端末装置２０からサーバ装置１０にアクセスすることにより、他のユーザとの間でコミュニケーションを図ることができるようになっている。
【００７０】
サーバ装置１０は、インターネットを介して通信接続された端末装置２０を用いて、ユーザにゲームをプレーさせるサービスを提供することが可能な情報処理装置である。また、サーバ装置１０は、コミュニケーション型のサービスを提供するＳＮＳサーバとして機能してもよい。ここで、ＳＮＳサーバとは、複数のユーザ間でコミュニケーションを提供することが可能なサービスを提供する情報処理装置であってもよい。
【００７１】
また、サーバ装置１０は、例えば、ＳＮＳサーバとして機能する場合には、提供するＳＮＳの動作環境（ＡＰＩ（アプリケーションプログラミングインタフェース）、プラットフォーム等）を利用して実行されるソーシャルゲーム（Ｓｏｃｉａｌ  Ｇａｍｅ）をと呼ばれるゲームを提供することができるようになっている。
【００７２】
特に、サーバ装置１０は、端末装置２０のＷｅｂブラウザ上で提供されるゲーム、例えばＨＴＭＬ、ＦＬＡＳＨ、ＣＧＩ、ＰＨＰ、ｓｈｏｃｋｗａｖｅ、Ｊａｖａ（登録商標）アプレット、ＪａｖａＳｃｒｉｐｔ（登録商標）など様々な言語で作られたブラウザゲーム（Ｗｅｂブラウザで設置サイトを開くだけで起動するゲーム）を提供することができるようになっている。 
【００７３】
なお、ソーシャルゲームとは、既存のオンラインゲームとは違い、専用のクライアントソフトウェアを必要とせず、ＷｅｂブラウザとＳＮＳのアカウントのみで利用可能なゲームが含まれる。また、サーバ装置１０は、ネットワークを介して他のユーザの端末（スマートフォン、パソコン、ゲーム機など）と接続し、オンラインで同時に同じゲーム進行を共有することができるオンラインゲームを提供することが可能な構成を有している。
【００７４】
一方、サーバ装置１０は、１つの（装置、プロセッサ）で構成されていてもよいし、複数の（装置、プロセッサ）で構成されていてもよい。
【００７５】
そして、サーバ装置１０の記憶領域（後述する記憶部１４０）に記憶される課金情報、ゲーム情報等の情報を、ネットワーク（イントラネット又はインターネット）を介して接続されたデータベース（広義には記憶装置、メモリ）に記憶するようにしてもよいし、ＳＮＳサーバとして機能する場合には、記憶領域に記憶されるプレーヤ情報記憶部１４６等の情報を、ネットワーク（イントラネット又はインターネット）を介して接続されたデータベース（広義には記憶装置、メモリ）に記憶するようにしてもよい。
【００７６】
具体的には、本実施形態のサーバ装置１０は、端末装置２０のユーザ（すなわち、ゲームを実行するプレーヤ）の操作に基づく入力情報を受信し、受信した入力情報に基づいてゲーム処理を行うようになっている。そして、サーバ装置１０は、ゲーム処理結果を端末装置２０に送信し、端末装置２０は、サーバ装置１０から受信したゲーム処理結果を端末装置２０にユーザに閲覧可能に提供する各種の処理を行うようになっている。
【００７７】
端末装置２０は、スマートフォン、携帯電話、ＰＨＳ、コンピュータ、ゲーム装置、ＰＤＡ、携帯型ゲーム機等、画像生成装置などの情報処理装置であり、インターネット（ＷＡＮ）、ＬＡＮなどのネットワークを介してサーバ装置１０に接続可能な装置である。なお、端末装置２０とサーバ装置１０との通信回線は、有線でもよいし無線でもよい。
【００７８】
また、端末装置２０は、Ｗｅｂページ（ＨＴＭＬ形式のデータ）を閲覧可能なＷｅｂブラウザを備えている。すなわち、端末装置２０は、サーバ装置１０との通信を行うための通信制御機能、及びサーバ装置１０から受信したデータ（Ｗｅｂデータ、ＨＴＭＬ形式で作成されたデータなど）を用いて表示制御を行うとともに、ユーザ操作のデータをサーバ装置１０に送信するＷｅｂブラウザ機能などを備え、ゲーム画面をユーザに提供する各種の処理を実行し、ユーザによってゲームを実行させるようになっている。ただし、端末装置２０は、サーバ装置１０から提供されたゲーム制御情報を取得して所定のゲーム処理を実行し、ゲーム処理に基づくゲームを実行してもよい。
【００７９】
具体的には、端末装置２０は、所定ゲームを行う旨の要求をサーバ装置１０に対して行うと、サーバ装置１０のゲームサイトに接続され、ゲームが開始される。特に、端末装置２０は、必要に応じてＡＰＩを用いることにより、ＳＮＳサーバとして機能するサーバ装置１０に所定の処理を行わせ、又は、ＳＮＳサーバとして機能するサーバ装置１０が管理するプレーヤ情報記憶部１４６を取得させてゲームを実行する構成を有している。
【００８０】
［２］サーバ装置
次に、図２を用いて本実施形態のサーバ装置１０について説明する。なお、図２は、本実施形態のサーバ装置１０の機能ブロックを示す図である。また、本実施形態のサーバ装置１０は図２の構成要素（各部）の一部を省略した構成としてもよい。
【００８１】
サーバ装置１０は、管理者やその他の入力に用いるための入力部１２０、所定の表示を行う表示部１３０、所定の情報が記憶された情報記憶媒体１８０、端末装置２０やその他と通信を行う通信部１９６、主に提供するゲームに関する処理を実行する処理部１００、及び、主にゲームに用いる各種のデータを記憶する記憶部１４０を含む。
【００８２】
入力部１２０は、システム管理者等がゲームに関する設定やその他の必要な設定、データの入力に用いるものである。例えば、本実施形態の入力部１２０は、マウスやキーボード等によって構成される。
【００８３】
表示部１３０は、システム管理者用の操作画面を表示するものである。例えば、本実施形態の表示部１３０は、液晶ディスプレイ等によって構成される。
【００８４】
情報記憶媒体１８０（コンピュータにより読み取り可能な媒体）は、プログラムやデータなどを格納するものであり、その機能は、光ディスク（ＣＤ、ＤＶＤ）、光磁気ディスク（ＭＯ）、磁気ディスク、ハードディスク、磁気テープ、或いはメモリ（ＲＯＭ）などによって構成される。
【００８５】
通信部１９６は、外部（例えば、端末、他のサーバや他のネットワークシステム）との間で通信を行うための各種制御を行うものであり、その機能は、各種プロセッサ又は通信用ＡＳＩＣなどのハードウェアや、プログラムなどによって構成される。
【００８６】
記憶部１４０は、処理部１００や通信部１９６などのワーク領域となるもので、その機能は、ＲＡＭ（ＶＲＡＭ）などによって構成される。なお、記憶部１４０に記憶される情報は、データベースで管理してもよい。
【００８７】
また、本実施形態の記憶部１４０は、主記憶部１４２の他に、ゲームに関する情報を示すゲーム情報が記憶されるゲームデータ記憶部１４４と、各プレーヤに関する情報、プレーヤのゲームに関する情報、及び、各プレーヤが操作するプレーヤキャラクタに関する情報を含むプレーヤ関連情報が記憶されるプレーヤ情報記憶部１４６と、を有している。
【００８８】
特に、ゲームデータ記憶部１４４には、ゲームが実施されるゲームフィールドの情報、及び、各種の判定に用いる条件情報、ゲームフィールド上の各オブジェクトの情報、各オブジェクトを変更するための情報、各種のテーブル情報、ゲームに使用可能なプレーヤキャラクタに関する情報などが記憶される。
【００８９】
また、プレーヤ情報記憶部１４６には、プレーヤ毎に、プレーヤ関連情報として、プレーヤに関する情報の他に、当該プレーヤが操作するプレーヤキャラクタに関する情報が記憶される。
【００９０】
なお、プレーヤ関連情報は、例えば、今までのゲームにおける成績や獲得したアイテムなどのゲーム結果、及び、後述の達成条件における目標達成度合いを含み、後述する複数のプレーヤの中における相対的な序列を判定する際に用いられる。
【００９１】
処理部１００は、記憶部１４０内の主記憶部１４２をワーク領域として各種処理を行う。処理部１００の機能は各種プロセッサ（ＣＰＵ、ＤＳＰ等）、ＡＳＩＣ（ゲートアレイ等）などのハードウェアや、プログラムにより実現できる。
【００９２】
処理部１００は、情報記憶媒体１８０に格納されるプログラム（データ）に基づいて本実施形態の種々の処理を行う。即ち情報記憶媒体１８０には、本実施形態の各部としてコンピュータを機能させるためのプログラム（各部の処理をコンピュータに実行させるためのプログラム）が記憶される。
【００９３】
例えば、処理部１００（プロセッサ）は、情報記憶媒体に記憶されているプログラムに基づいて、サーバ装置１０全体の制御を行うとともに、各部間におけるデータ等の受け渡しの制御などの各種の処理を行う。さらに、端末装置２０からの要求に応じた各種サービスを提供する処理を行う。
【００９４】
具体的には、本実施形態の処理部１００は、通信制御部１０１、Ｗｅｂ処理部１０２、ゲーム管理部１０３、移動制御部１０４、マッチング処理部１０５、プレーヤ序列判定部１０６、達成条件設定部１０７、達成条件判定部１０８、タイマ管理部１０９、情報提供部１１０、及び、特典管理部１１１を少なくとも有している。
【００９５】
なお、例えば、本実施形態のプレーヤ序列判定部１０６は、本発明の第１判定手段を構成し、達成条件設定部１０７は、本発明の設定手段を構成する。また、例えば、本実施形態の達成条件判定部１０８は、本発明の第２判定手段を構成し、情報提供部１１０は、本発明の提示手段を構成する。さらに、例えば、本実施形態の特典管理部１１１は、本発明の特典付与制御手段を構成する。
【００９６】
通信制御部１０１は、端末装置２０とネットワークを介してデータを送受信する処理を行う。すなわち、サーバ装置１０は、通信制御部１０１によって端末装置２０等から受信した情報に基づいて各種処理を行う。特に、本実施形態の通信制御部１０１は、プレーヤの端末装置２０からの要求に基づいて、ゲーム画面を、当該プレーヤの端末装置２０に送信する処理を行う。
【００９７】
Ｗｅｂ処理部１０２は、Ｗｅｂサーバとして機能する。例えば、Ｗｅｂ処理部１０２は、ＨＴＴＰ（Ｈｙｐｅｒｔｅｘｔ  Ｔｒａｎｓｆｅｒ  Ｐｒｏｔｏｃｏｌ）等の通信プロトコルを通じて、端末装置２０にインストールされているＷｅｂブラウザ２１１の要求に応じてデータを送信する処理、及び、端末装置２０のＷｅｂブラウザ２１１によって送信されるデータを受信する処理を行う。
【００９８】
なお、本実施形態では、サーバ装置１０がＳＮＳサーバとしての機能も備えていている場合を例に説明するが、サーバ装置１０を、ゲーム用のサーバと、ＳＮＳ用のサーバと別々に形成してもよい。また、本実施形態のゲームの処理は、サーバ装置１０が一部又は全部を行ってもよいし、端末装置２０が一部を行ってもよい。
【００９９】
ゲーム管理部１０３は、端末装置２０と連動し、仮想空間としてのゲーム空間を構築し、当該端末装置２０を介して入力されたプレーヤの操作に基づいて、複数のプレーヤによって対戦すると戦闘若しくは格闘などを行うバトルゲーム、アクションゲーム、ＲＰＧ、音ゲーム、又は、スポーツゲームなどの各種の対戦ゲームに関する各種のゲーム処理を実行する。
【０１００】
また、ゲーム管理部１０３は、対戦ゲームを実行する場合には、当該対戦ゲームの実行中に、個人間又はグループ間の戦闘などの対戦（以下、「個人間対戦」、又は、「グループ間対戦」という。）に関するゲーム処理を実行する。
【０１０１】
移動制御部１０４は、端末装置２０に入力されたゲームに参加するプレーヤの操作入力に応じて、各プレーヤの操作対象となるプレーヤキャラクタ（以下、「対象プレーヤキャラクタ」ともいう。）におけるゲーム空間内における移動を制御する。
【０１０２】
マッチング処理部１０５は、プレーヤのレベルや能力、プレーヤキャラクタの種別やレベル（能力を含む。）、又は、プレーヤが操作する端末装置２０が存在する地域などのプレーヤ関連情報に基づいて、ゲームに参加するプレーヤを特定するマッチング処理を実行する。
【０１０３】
プレーヤ序列判定部１０６、マッチング処理によって参加が決定した各プレーヤのプレーヤ関連情報に基づいて、当該各プレーヤのゲームに参加する複数のプレーヤの中における各プレーヤの相対的な序列（例えば、ランク、順位又は偏差値）を判定する序列判定処理を実行する。
【０１０４】
達成条件設定部１０７は、ゲーム開始前に、又は、ゲーム中に、序列判定処理の結果に基づいて、ゲームに参加するプレーヤ毎に、該当するプレーヤが操作するプレーヤキャラクタによって当該ゲーム中に達成すべき達成条件を設定する。
【０１０５】
達成条件判定部１０８は、ゲーム中又はゲーム終了後などの所与のタイミングで、プレーヤ毎に、設定された達成条件を達成したか否かを判定する条件達成判定処理を実行する。
【０１０６】
タイマ管理部１０９は、タイマ機能を有し、ゲームの進行状況を管理するために用いる。特に、タイマ管理部１０９は、ゲーム管理部１０３と連動し、現在時刻や予め設定された時刻を各部に出力する。また、タイマ管理部１０９は、各端末装置２０と同期を取るために用いられる。
【０１０７】
情報提供部１１０は、端末装置２０によってゲームを処理させるため各種のゲーム情報を生成して該当する端末装置２０に提供する。
【０１０８】
特に、情報提供部１１０は、各プレーヤの対象プレーヤキャラクタを該当する端末装置２０によって制御するための情報（すなわち、ゲーム情報）を生成し、生成したゲーム情報を該当する端末装置２０に提供する。
【０１０９】
また、情報提供部１１０は、プレーヤ毎に判定された条件達成判定処理の結果を、該当
するプレーヤに提示するためも、所定の情報を端末装置２０に提供する。
【０１１０】
特典管理部１１１は、条件達成判定処理の結果に基づいて、前記達成条件を具備したプレーヤキャラクタ又は当該プレーヤキャラクタを操作するプレーヤに対して所与の特典を付与する。
【０１１１】
［３］端末装置
次に、図３を用いて本実施形態の端末装置２０について説明する。なお、図３は、本実施形態における端末装置の構成を示す機能ブロック図の一例である。また、本実施形態の端末装置２０は図３の構成要素（各部）の一部を省略した構成としてもよい。
【０１１２】
入力部２６０は、プレーヤが操作データを入力するためのものであり、その機能は、タッチパネル又はタッチパネル型ディスプレイなどにより実現できる。すなわち、入力部２６０は、画像が表示される画面上における２次元の指示位置座標（ｘ，ｙ）を検出可能な検出部２６２を備えている。例えば、入力部２６０は、接触検出領域（タッチパネル）における、２次元の接触位置座標（ｘ，ｙ）を検出可能な検出部２６２を備えている。
【０１１３】
なお、表示画面（以下、特別な場合を除き「タッチパネル」という。）１２への接触操作は、指先を用いて行うようにしてもよいし、タッチペンなどの入力機器を用いて行うようにしてもよい。
【０１１４】
また、入力部２６０は、指示位置以外の操作情報（操作信号）を入力可能なボタンやレバー、キーボード、ステアリング、マイク、加速度センサなどを備えていてもよい。
【０１１５】
記憶部２７０は、処理部２００や通信部２９６などのワーク領域となるもので、その機能はＲＡＭ（ＶＲＡＭ）などにより実現できる。そして、本実施形態の記憶部２７０は、ワーク領域として使用される主記憶部２７１と、最終的な表示画像等が記憶される画像バッファ２７２と、提供するゲームに関しプレーヤに関する情報を示すプレーヤ情報記憶部２７３と、テーブルデータなどのゲームを実行する上で必要な各種のデータを記憶するゲームデータ記憶部２７４と、を含む。なお、これらの一部を省略する構成としてもよいし、サーバ装置１０の記憶部１４０がその一部を構成してもよい。
【０１１６】
情報記憶媒体２８０（コンピュータにより読み取り可能な媒体）は、プログラムやデータなどを格納するものであり、その機能は、光ディスク（ＣＤ、ＤＶＤ）、光磁気ディスク（ＭＯ）、磁気ディスク、ハードディスク、磁気テープ、或いはメモリ（ＲＯＭ）などにより実現できる。
【０１１７】
また、情報記憶媒体２８０には、本実施形態の各部としてコンピュータを機能させるためのプログラム（各部の処理をコンピュータに実行させるためのプログラム）を記憶することができる。なお、処理部２００は、後述するように、情報記憶媒体２８０に格納されるプログラム（データ）に基づいて本実施形態の種々の処理を行う。
【０１１８】
表示部２９０は、本実施形態により生成された画像を出力するものであり、その機能は、ＣＲＴ、ＬＣＤ、タッチパネル型ディスプレイ、或いはＨＭＤ（ヘッドマウントディスプレイ）などにより実現できる。
【０１１９】
特に、本実施形態では表示部２９０は、タッチパネルディスプレイを用いることによりプレーヤがゲーム操作を行う入力部２６０としても機能する。ここでタッチパネルとして、例えば抵抗膜方式（４線式、５線式）、静電容量方式、電磁誘導方式、超音波表面弾性波方式、赤外線走査方式などのタッチパネルを用いることができる。
【０１２０】
音出力部２９２は、本実施形態により生成された音を出力するものであり、その機能は、スピーカ、或いはヘッドフォンなどにより実現できる。
【０１２１】
通信部２９６は、外部（例えばホスト装置や他の端末装置）との間で通信を行うための各種制御を行うものであり、その機能は、各種プロセッサ又は通信用ＡＳＩＣなどのハードウェアや、プログラムなどにより実現できる。
【０１２２】
なお、端末装置２０は、サーバ装置１０が有する情報記憶媒体や記憶部２７０に記憶されている本実施形態の各部としてコンピュータを機能させるためのプログラムやデータを、ネットワークを介して受信し、受信したプログラムやデータを情報記憶媒体２８０や記憶部２７０に記憶してもよい。このようにプログラムやデータを受信して端末装置２０を機能させる場合も本発明の範囲内に含めることができる。
【０１２３】
処理部２００（プロセッサ）は、入力部２６０からの入力データやプログラムなどに基づいて、サーバ装置１０と連動して、ゲーム処理、画像生成処理、或いは音生成処理などの処理を行う。
【０１２４】
特に、本実施形態においては、ゲーム処理としては、ゲーム開始条件が満たされた場合にゲームを開始する処理、ゲームを進行させる処理、プレーヤキャラクタ、他のプレーヤキャラクタなどのオブジェクトを配置する処理、オブジェクトを表示する処理、ゲーム結果を演算する処理、或いはゲーム終了条件が満たされた場合にゲームを終了する処理などが含まれる。
【０１２５】
また、処理部２００は、記憶部２７０をワーク領域として各種処理を行う。処理部２００の機能は各種プロセッサ（ＣＰＵ、ＤＳＰ等）、ＡＳＩＣ（ゲートアレイ等）などのハードウェアや、プログラムにより実現できる。
【０１２６】
特に、本実施形態の処理部２００は、オブジェクト空間設定部２１０と、表示制御部２１２、入力受付処理部２１３と、ゲーム制御部２１４と、ゲーム演算部２１５と、仮想カメラ制御部２１６と、ゲーム管理部２１７と、描画部２２０と、音処理部２３０とを含む。また、これらの一部を省略する構成としてもよい。
【０１２７】
オブジェクト空間設定部２１０は、オブジェクト（プレーヤキャラクタ、移動体、他のプレーヤキャラクタ）、移動経路、建物、樹木、柱、壁、マップ（地形）などの表示物を表す各種オブジェクト（スプライト、ビルボード、ポリゴン、自由曲面又はサブディビジョンサーフェスなどのプリミティブ面で構成されるオブジェクト）をオブジェクト空間に配置設定する処理を行う。
【０１２８】
具体的には、オブジェクト空間設定部２１０は、オブジェクト（モデルオブジェクト）の位置や回転角度（向き、方向と同義）を決定し、その位置（Ｘ、Ｙ）或いは（Ｘ、Ｙ、Ｚ）にその回転角度（Ｘ、Ｙ軸回りでの回転角度）或いは（Ｘ、Ｙ、Ｚ軸回りでの回転角度）でオブジェクトを配置する。
【０１２９】
ここで、オブジェクト空間とは、いわゆる仮想２次元空間、仮想３次元空間の両方を含む。２次元空間とは、例えば２次元座標（Ｘ，Ｙ）においてオブジェクトが配置される空間であり、３次元空間とは、例えば３次元座標（Ｘ，Ｙ，Ｚ）においてオブジェクトが配置される空間である。
【０１３０】
そして、オブジェクト空間を２次元空間とした場合には、複数のオブジェクトそれぞれ
について設定された優先順位に基づいてオブジェクトを配置する。例えば、奥側にあるように見せたいオブジェクト（スプライト）から順にオブジェクトを配置し、手前側にあるように見せたいオブジェクトを重ねて配置する処理を行うことができる。
【０１３１】
また、描画サイズが大きなオブジェクトを画像の下方に配置し、描画サイズが小さなオブジェクトを画像の上方に配置すれば、画面の上方に対応するオブジェクト空間が奥側にあるように見せることができ、画面の下方に対応するオブジェクト空間が手前側にあるように見せることができる。
【０１３２】
なお、オブジェクト空間を３次元空間とした場合には、ワールド座標系にオブジェクトを配置する。
【０１３３】
表示制御部２１２は、サーバ装置１０から送信された情報に基づいて、ゲームフィールド内に移動不能状態の再発防止をするために必要な情報を表示部２９０に表示させる。
【０１３４】
入力受付処理部２１３は、入力部２６０によって入力されたプレーヤの入力指示を受け付けるとともに、受け付けた入力指示をゲーム制御部２１４、サーバ装置１０、又は、その双方に出力する。
【０１３５】
ゲーム制御部２１４は、サーバ装置１０と連動し、入力受付処理部２１３によって受け付けたコマンドに基づくゲーム処理を実行する。
【０１３６】
特に、ゲーム制御部２１４は、サーバ装置１０から送信されたゲームに関する各種の情報（ゲーム情報、プレーヤキャラクタの移動に関する情報（移動判定に関する情報を含む。）、移動状態に関する情報、移動不能状態からの救済する救済処理に関する情報、又は、移動不能状態が発生した際の再発防止に関する情報）と、入力受付処理部２１３によって受け付けたコマンド（すなわち、入力指示）と、に基づいて、操作対象となるキャラクタ（すなわち、プレーヤキャラクタ）に対する制御、又は、他のプレーヤのプレーヤキャラクタやその他の付随するキャラクタに対する制御を実行する。
【０１３７】
例えば、本実施形態のゲーム制御部２１４は、アクションゲームを含む対戦ゲームやシューティングゲームの場合には、敵キャラクタに対する攻撃や味方キャラクタに対する能力回復などのサポート、又は、シミュレーションゲームの場合には、作物の作成や建物建築などの所定の作業を実行する。
【０１３８】
一方、ゲーム制御部２１４は、オブジェクト空間内における移動体オブジェクト（特に、プレーヤキャラクタや他のプレーヤキャラクタなどのキャラクタオブジェクト）等の操作対象のキャラクタオブジェクトの移動演算を行う。
【０１３９】
すなわち、ゲーム制御部２１４は、サーバ装置１０と連動し、当該サーバ装置１０から送信されたゲーム情報、及び、入力部２６０によりプレーヤが入力した入力データ又はプログラム（移動アルゴリズム）や各種データ（モーションデータ）などに基づいて、移動体オブジェクトをオブジェクト空間内で移動させ、又は、移動体オブジェクトの動作（モーション、アニメーション）を制御するための処理を行う。
【０１４０】
具体的には、本実施形態のゲーム制御部２１４は、オブジェクトの移動情報（移動方向、移動量、移動速度、位置、回転角度、或いは加速度）や動作情報（各パーツオブジェクトの位置、或いは回転角度）を、１フレーム毎に順次求めるシミュレーション処理を行う。ここでフレームとは、オブジェクトの移動処理、動作処理（シミュレーション処理）や画像生成処理を行う時間の単位である。そして、本実施形態では、フレームレートは、固
定としてもよいし、処理負荷に応じて可変としてもよい。
【０１４１】
なお、ゲーム制御部２１４は、３次元のオブジェクト空間において入力方向に基づいてオブジェクトを移動させる処理を実行する。例えば、ゲーム制御部２１４は、予め、入力方向毎に移動方向を対応づけ、入力方向に対応する移動方向にオブジェクトを移動させる。
【０１４２】
また、ゲーム制御部２１４は、サーバ装置１０と連動して実行してもよいし、その一部又は全部がサーバ装置１０に形成されていてもよい。
【０１４３】
ゲーム演算部２１５は、種々のゲーム演算処理を行う。特に、ゲーム演算部２１５は、シューティングゲームの予め定められたオブジェクト空間の形成、マップに基づくオブジェクト空間の形成、ユーザの操作に応じて予め設定されたシナリオに基づくゲームの進行、プレーヤキャラクタ他のプレーヤキャラクタやその他のオブジェクトとの対戦、及び、当該対戦時のパラメータ管理などのゲームを実行する上で必要な演算処理を行う。
【０１４４】
なお、ゲーム演算部２１５は、サーバ装置１０と連動して実行するが、その一部又は全部がサーバ装置１０に形成されていてもよい。
【０１４５】
仮想カメラ制御部２１６は、所与の視点から見えるゲーム空間の画像であって、奥行きがあるように見える画像を生成する。この場合に、仮想カメラ制御部２１６が、オブジェクト空間内の所与（任意）の視点から見える画像を生成するための仮想カメラ（視点）の制御処理を行う。具体的には、仮想カメラの位置（Ｘ、Ｙ、Ｚ）又は回転角度（Ｘ、Ｙ、Ｚ軸回りでの回転角度）を制御する処理（視点位置や視線方向を制御する処理）を行う。
【０１４６】
例えば、仮想カメラによりオブジェクト（例えば、キャラクタ、ボール、車）を後方から撮影する場合には、オブジェクトの位置又は回転の変化に仮想カメラが追従するように、仮想カメラの位置又は回転角度（仮想カメラの向き）を制御する。
【０１４７】
この場合には、ゲーム制御部２１４で得られたオブジェクトの位置、回転角度又は速度などの情報に基づいて、仮想カメラを制御できる。或いは、仮想カメラを、予め決められた回転角度で回転させたり、予め決められた移動経路で移動させる制御を行ってもよい。また、この場合には、仮想カメラの位置（移動経路）又は回転角度を特定するための仮想カメラデータに基づいて仮想カメラを制御する。
【０１４８】
なお、仮想カメラをプレーヤキャラクタの視点として設定してもよい。また、仮想カメラ（視点）が複数存在する場合には、それぞれの仮想カメラについて上記の制御処理が行われる。
【０１４９】
ゲーム管理部２１７は、サーバ装置１０と連動し、入力部２６０を介して入力されたプレーヤの操作に基づいて、各プレーヤにおいて対戦ゲーム等のゲームに使用するプレーヤキャラクタ及び各種のアイテムを設定し、プレーヤ情報記憶部２７３に登録する。
【０１５０】
描画部２２０は、サーバ装置１０から送信された画像生成に関する各種の情報、及び、処理部２００で行われる種々の処理（ゲーム処理）の結果に基づいて描画処理を行い、これにより画像を生成し、表示部（ディスプレイ）２９０に出力する。
【０１５１】
特に、描画部２２０が生成する画像は、いわゆる２次元画像であってもよいし、いわゆる３次元画像であってもよい。特に、描画部２２０は、オブジェクト空間における仮想カメラから見える画像であって、画面上に表示する画像を生成する。
【０１５２】
ここで、２次元画像を生成する場合には、描画部２２０は、設定された優先度が低いオブジェクトから順に描画して、オブジェクト同士が重なる場合には、優先度の高いオブジェクトを上書きして描画する。
【０１５３】
また、３次元画像を生成する場合には、本実施形態の描画部２２０は、まずオブジェクト（モデル）の各頂点の頂点データ（頂点の位置座標、テクスチャ座標、色データ、法線ベクトル或いはα値等）を含むオブジェクトデータ（モデルデータ）が入力され、入力されたオブジェクトデータに含まれる頂点データに基づいて、頂点処理が行われる。なお、頂点処理を行うに際して、必要に応じてポリゴンを再分割するための頂点生成処理（テッセレーション、曲面分割、ポリゴン分割）を行うようにしてもよい。 
【０１５４】
また、頂点処理では、頂点の移動処理や、座標変換（ワールド座標変換、カメラ座標変換）、クリッピング処理、透視変換、あるいは光源処理等のジオメトリ処理が行われ、その処理結果に基づいて、オブジェクトを構成する頂点群について与えられた頂点データを変更（更新、調整）する。そして、頂点処理後の頂点データに基づいてラスタライズ（走査変換）が行われ、ポリゴン（プリミティブ）の面とピクセルとが対応づけられる。そしてラスタライズに続いて、画像を構成するピクセル（表示画面を構成するフラグメント）を描画するピクセル処理（フラグメント処理）が行われる。
【０１５５】
ピクセル処理では、テクスチャの読出し（テクスチャマッピング）、色データの設定／変更、半透明合成、アンチエイリアス等の各種処理を行って、画像を構成するピクセルの最終的な描画色を決定し、透視変換されたオブジェクトの描画色を画像バッファ２７２（フレームバッファ、ピクセル単位で画像情報を記憶できるバッファ。ＶＲＡＭ、レンダリングターゲット）に出力（描画）する。すなわち、ピクセル処理では、画像情報（色、法線、輝度、α値等）をピクセル単位で設定あるいは変更するパーピクセル処理を行う。
【０１５６】
これにより、オブジェクト空間内に設定された仮想カメラ（所与の視点）から見える画像が生成される。なお、仮想カメラ（視点）が複数存在する場合には、それぞれの仮想カメラから見える画像を分割画像として１画面に表示できるように画像を生成することができる。
【０１５７】
なお、描画部２２０が行う頂点処理やピクセル処理は、シェーディング言語によって記述されたシェーダプログラムによって、ポリゴン（プリミティブ）の描画処理をプログラム可能にするハードウェア、いわゆるプログラマブルシェーダ（頂点シェーダやピクセルシェーダ）により実現されてもよい。プログラマブルシェーダでは、頂点単位の処理やピクセル単位の処理がプログラム可能になることで描画処理内容の自由度が高く、ハードウェアによる固定的な描画処理に比べて表現力を大幅に向上させることができる。
【０１５８】
そして、描画部２２０は、オブジェクトを描画する際に、ジオメトリ処理、テクスチャマッピング、隠面消去処理、αブレンディング等を行う。
【０１５９】
ジオメトリ処理では、オブジェクトに対して、座標変換、クリッピング処理、透視投影変換、或いは光源計算等の処理を行う。そして、ジオメトリ処理後（透視投影変換後）のオブジェクトデータ（オブジェクトの頂点の位置座標、テクスチャ座標、色データ（輝度データ）、法線ベクトル、或いはα値等）を記憶部２７０に記憶する。
【０１６０】
テクスチャマッピングでは、記憶部２７０のテクスチャ記憶部に記憶されるテクスチャ（テクセル値）をオブジェクトにマッピングする処理を行う。具体的には、オブジェクトの頂点に設定（付与）されるテクスチャ座標等を用いて記憶部２７０のテクスチャ記憶部
からテクスチャ（色（ＲＧＢ）、α値などの表面プロパティ）を読み出し、２次元の画像であるテクスチャをオブジェクトにマッピングする。この場合に、ピクセルとテクセルとを対応づける処理や、テクセルの補間としてバイリニア補間などを行う。
【０１６１】
なお、本実施形態では、オブジェクトを描画する際に、所与のテクスチャをマッピングする処理を行うようにしてもよい。この場合には、マッピングされるテクスチャの色分布（テクセルパターン）を動的に変化させることができる。
【０１６２】
また、この場合において、色分布（ピクセルパターン）が異なるテクスチャを動的に生成してもよいし、複数の色分布が異なるテクスチャを予め用意しておき、使用するテクスチャを動的に切り替えるようにしてもよい。またオブジェクト単位でテクスチャの色分布を変化させてもよい。
【０１６３】
隠面消去処理では、描画ピクセルのＺ値（奥行き情報）が格納されるＺバッファ（奥行きバッファ）を用いたＺバッファ法（奥行き比較法、Ｚテスト）による隠面消去処理を行う。すなわち、オブジェクトのプリミティブに対応する描画ピクセルを描画する際に、Ｚバッファに格納されるＺ値を参照するとともに、当該参照されたＺバッファのＺ値と、プリミティブの描画ピクセルでのＺ値とを比較し、描画ピクセルでのＺ値が、仮想カメラから見て手前側となるＺ値（例えば小さなＺ値）である場合には、その描画ピクセルの描画処理を行うとともにＺバッファのＺ値を新たなＺ値に更新する。
【０１６４】
αブレンディング（α合成）では、描画部２２０は、α値（Ａ値）に基づく半透明合成処理（通常αブレンディング、加算αブレンディング又は減算αブレンディング等）を行う。なお、α値は、各ピクセル（テクセル、ドット）に関連づけて記憶できる情報であり、例えば色情報以外のプラスアルファの情報である。α値は、マスク情報、半透明度（透明度、不透明度と等価）、バンプ情報などとして使用できる。
【０１６５】
そして、本実施形態での描画部２２０は、接触検出領域に対応する表示領域に表示させる画像を生成してもよい。表示領域に表示させる画像とは、例えばオブジェクトを含む画像でもよい。
【０１６６】
音処理部２３０は、処理部２００で行われる種々の処理の結果に基づいて音処理を行い、ＢＧＭ、効果音、又は音声などのゲーム音を生成し、音出力部２９２に出力する。
【０１６７】
［４］本実施形態の手法
［４．１］概要
次に、図４を用いて本実施形態の手法（プレーヤ毎の達成条件に基づいてゲームを実行するゲーム処理）の概要について説明する。なお、図４は、本実施形態におけるプレーヤ毎の達成条件に基づいてゲームを実行するゲーム処理の概要を説明するための図である。
【０１６８】
本実施形態のサーバ装置１０は、複数のプレーヤが操作する端末装置２０と連動し、プレーヤキャラクタを用いて、レベル（プレーヤのゲームレベル、プレーヤレベルともいう。）の差や能力差に関係無く、複数のプレーヤが参加するゲームを実行するバトルゲーム、アクションゲーム、ＲＰＧ、音ゲーム、コミュニケーションゲーム（具体的には、他のプレーヤやゲーム内のキャラクタとコミュニュケーションを図るゲーム）、又は、スポーツゲームなどのゲームを実行する構成を有している。
【０１６９】
また、本実施形態のサーバ装置１０は、ゲームに参加する個々のプレーヤ（以下、「参加プレーヤ」ともいう。）の能力やレベルに応じて、ゲームをクリアする際のクリア条件やゲーム中に獲得可能なアイテムの獲得条件などのゲーム中に達成すべき条件を変化させ
、例えば、レベルや能力の低いプレーヤ（以下、「低レベルプレーヤ」という。）がレベルや能力の高いプレーヤ（以下、「高レベルプレーヤ」という。）に混在した状態でゲームが実行されたとしても、高レベルプレーヤだけでなく、低レベルプレーヤであっても、達成条件さえ具備すれば特典などを獲得させることが可能な構成を有している。
【０１７０】
さらに、本実施形態のサーバ装置１０は、このように、プレーヤのレベル差や能力差に無関係に、ゲームに参加させることができるので、例えば、１００人以上などの大人数の参加プレーヤを集めてゲームを実行する場合であっても、短期間に集めることが可能な構成を有している。
【０１７１】
すなわち、本実施形態のサーバ装置１０は、複数のプレーヤの参加型のゲームにおいて、プレーヤの待機期間を抑制して迅速なゲームの提供を行うことが可能な構成を有している。
【０１７２】
具体的には、サーバ装置１０は、例えば、図４に示すように、
（Ａ１）参加を希望するプレーヤキャラクタをマッチングさせるマッチング処理によって参加プレーヤが確定すると（図４の［１］）、
（Ａ２）記憶されている各プレーヤに関するプレーヤ関連情報に基づいて、当該各プレーヤのゲームに参加する複数の参加プレーヤの中における相対的な序列を判定する序列判定処理を実行し（図４の［２］）、
（Ａ３）序列判定処理の結果に基づいて、ゲームに参加するプレーヤ毎に、該当するプレーヤが操作するプレーヤキャラクタによって当該ゲーム中に達成すべき達成条件を設定する達成条件設定処理を実行し（図４の［３］）、
（Ａ４）ゲーム中又はゲーム終了後などの所与のタイミングで、プレーヤ毎に、設定された達成条件を達成したか否かを判定する条件達成判定処理を実行し（図４の［４］）、
【０１７３】
（Ａ５）条件達成判定処理の結果を、該当する端末装置２０によって該当するプレーヤに提示するための処理（以下、「判定結果提示制御処理」という。）を実行する（図４の［５］）、
構成を有している。
【０１７４】
そして、サーバ装置１０は、条件達成判定処理の結果を、該当するプレーヤに提示する際に、条件達成判定処理の結果に基づいて、達成条件を具備したプレーヤキャラクタ又当該プレーヤキャラクタを操作するプレーヤに対して所与の特典を付与する特典付与制御処理を実行する（図４の［５］）構成を有している。
【０１７５】
なお、図４には、マッチング処理において、プレーヤＡ、プレーヤＢ及びプレーヤＣがゲームへの参加を希望し、登録されたこと、序列判定処理において各ランクに判定（分類）されたこと、達成条件設定処理において、各達成条件が設定されたこと、達成条件判定処理において、各達成条件の達成の可否が判定されたこと、及び、該当する端末装置２０のゲーム画面上に「達成条件が達成したこと」が提示され、かつ、所定の特典が獲得されたことが示されている。
【０１７６】
このような構成により、本実施形態においては、プレーヤの待機時間があることによって生ずる不満を解消することができるとともに、ゲーム全体を活性化させることができるようになっている。
【０１７７】
なお、本実施形態においては、「複数のプレーヤが参加するゲーム」としては、ＲＰＧ、レースゲーム、アクションゲーム、対戦ゲーム、コミュニケーションゲーム、シューティングゲームなどの複数のプレーヤがプレーヤキャラクタを用いて実行するゲームであれ
ば適用できるが、以下の説明においては、バトルロワイヤル形式などの多人数のプレーヤ間によって対戦する対戦ゲームを用いて説明する。
【０１７８】
また、以下の対戦ゲームにおいてゲームに用いられるプレーヤキャラクタには、プレーヤによって操作されるキャラクタであってもよいし、プログラムなどのゲーム処理に従って制御され、プレーヤによって操作されないＮＰＣ（ノンプレーヤキャラクタ）であってもよい。
【０１７９】
さらに、以下に説明する本実施形態においては、対戦ゲームが実行されるゲーム空間は、３次元空間であってもよいし、２次元空間であってもよく、ゲームフィールドが形成されている空間であればよい。
【０１８０】
［４．２］プレーヤ関連情報
次に、図５を用いて、本実施形態におけるプレーヤ関連情報について説明する。なお、図５は、本実施形態において用いられるプレーヤ関連情報の例を示す図である。
【０１８１】
本実施形態のプレーヤ関連情報は、上述のように、プレーヤ毎に、プレーヤに関する情報の他に、当該プレーヤが操作するプレーヤキャラクタに関する情報を含み、プレーヤ情報記憶部１４６に記憶される。
【０１８２】
例えば、プレーヤ関連情報には、図５に示すように、
（Ａ１）プレーヤのニックネームやプレーヤＩＤ及びチームに属している場合には、所属チーム名やそのＩＤ（以下、「所属情報」という。）、
（Ａ２）現在の得点、経験値、又は、獲得した報酬若しくはゲーム時間などの個人及びチームの成績に関する情報（以下、「成績情報」ともいう。）、
（Ａ３）プレーヤキャラクタの特性・属性・レベル（以下、「キャラクタレベル」という。）及び当該プレーヤキャラクタが有するアイテムの種別（アイテムの能力も含む）に関する情報（以下、「キャラクタ情報」という。）、
（Ａ４）他のプレーヤキャラクタや他のチームとの対戦ゲームにおける他のプレーヤキャラクタや他のチームとの戦闘回数や勝敗数などの戦績に関する情報（以下、「戦績情報」という。）、
（Ａ５）ライフエネルギーなどの各プレーヤキャラクタの勝敗に直結するパラメータ、又は、各能力を規定するパラメータの値、
（Ａ６）ゲームを初めて実行してからの総時間（以下、「ゲーム総時間」ともいう。）や新規登録した日からの利用期間などのゲーム履歴に関する情報（以下、「ゲーム履歴情報」という。）
（Ａ７）課金履歴及び課金額などの課金に関する情報（以下、「課金情報」という。）、（Ａ８）プレーヤが操作する端末装置２０の存在する地域に関する情報（以下、「地域情報」という。）、並びに、
（Ａ９）プレーヤ毎に設定された達成条件を示す達成条件情報、当該達成条件によって設定されたアイテムなどの達成条件を達成するために必要な各種の情報（以下、「達成条件関連情報」ともいう。）、及び、特典付与に関する情報（以下、「特典付与情報」という。）
が記憶される。
【０１８３】
なお、プレーヤ関連情報に含まれる各情報は、予め定められたタイミング毎に更新される。例えば、予め定められたタイミングとしては、所与の期間毎（５分毎など）、プレーヤがログアウトするタイミング、ゲーム内の所定の時刻（朝８：００など）、所定のイベントが発生したタイミングなどが含まれる。
【０１８４】
また、プレーヤ関連情報に含まれる戦績情報、課金情報、ゲーム履歴情報、達成条件関連情報、特典付与情報などは、過去に実施したゲームの情報（ゲーム結果の情報）も含まれる。
【０１８５】
特に、過去のゲームにおける達成条件関連情報においては、各ゲームにおける目標達成度合いの情報も含む。例えば、目標達成度合いの情報は、達成条件によって定まった順位とゲーム終了後の実際の順位差などの差異を数値化した値を示す。
【０１８６】
さらに、エネルギーパラメータ情報は、例えば、対戦ゲームにおいては、基本的には、ゲーム中に他のプレーヤキャラクタからの攻撃などの干渉を受けた際に、リアルタイムで減少し、食事や休息などの回復行動を行った場合にリアルタイムで増加する情報であって、例えば、値が「０」になった場合に、当該プレーヤのゲームがゲームオーバとする情報である。
【０１８７】
［４．３］マッチング処理
次に、本実施形態におけるマッチング処理について説明する。
【０１８８】
本実施形態のマッチング処理部１０５は、プレーヤのゲームレベルや能力（経験値、クリアしたステージ数又はゲーム実績（成績）など）、プレーヤキャラクタの種別やレベル（能力を含む。）、又は、プレーヤが操作する端末装置２０が存在する地域などのプレーヤ関連情報に基づいて、ゲームに参加するプレーヤを特定するマッチング処理を実行する。
【０１８９】
具体的には、マッチング処理部１０５は、ゲームに参加希望しているプレーヤの中から、各プレーヤが操作する端末装置２０が同一の地域（例えばアジア地域）に属するプレーヤを予め設定された人数（例えば、１００人）を抽出し、当該抽出したプレーヤを参加プレーヤとして特定するマッチング処理を実行する。
【０１９０】
また、各プレーヤ関連情報には、ゲームを実行するに従って獲得するゲームレベルが規定されており、マッチング処理部１０５は、ゲームを実行する際に、ゲームへの参加を希望するプレーヤの中から、所定の範囲内のゲームレベルを有するプレーヤ同士をマッチングさせてもよい。
【０１９１】
特に、この場合には、マッチング処理部１０５は、ゲームへの参加を希望するプレーヤの中から、上級レベルのプレーヤ（すなわち、上級レベルとみなされる所定の範囲のレベルに属するプレーヤ）、中級レベルのプレーヤ、及び、初級レベルのプレーヤなど、所定のレベルに属する人数のプレーヤを抽出してマッチングさせてもよい。
【０１９２】
さらに、マッチング処理部１０５は、ゲームへの参加を希望するプレーヤの中から、特定のアイテム（能力）を有するプレーヤ、又は、特定のプレーヤキャラクタを操作対象としているプレーヤなど、所定の条件に応じてゲームで要求されるプレーヤ数のプレーヤをマッチングさせてもよい。
【０１９３】
なお、本実施形態においては、マッチング処理部１０５は、参加締切の期限を設定し、それまでに参加を表明すれば（すなわち、端末装置２０で所定の操作を実行すれば）、ゲームに参加を希望するプレーヤを人数制限なく参加させる構成を有していてもよい。
【０１９４】
［４．４］序列判定処理
次に、図６を用いて本実施形態における序列判定処理について説明する。なお、図６は、本実施形態における序列判定処理について説明するための図である。
【０１９５】
プレーヤ序列判定処理部１０６は、ゲーム開始時に、又は、ゲーム中に、マッチング処理によって参加が決定した各プレーヤのプレーヤ関連情報を取得し、当該取得した各プレーヤ関連情報に基づいて、当該各プレーヤのゲームに参加する複数の参加プレーヤの中におけるランク、順位、又は、偏差値を判定し、各参加プレーヤの序列を決定する序列判定処理を実行する。
【０１９６】
具体的には、プレーヤ序列判定処理部１０６は、相対的な序列の判定として、
（Ａ１）ゲーム上設定され、ゲームの進行などに基づいてプレーヤが獲得したレベル（いままで実施したゲームによって獲得したレベル）などプレーヤが属するレベル（プレーヤのゲームレベル）、
（Ａ２）過去に実行したゲームによって獲得したアイテムを含め、保有しているアイテム（武器）の有無（複数のアイテムの組み合わせも含む。）若しくはレベル（最高レベルのアイテムのレベル若しくは複数のアイテムの平均のレベル）、
（Ａ３）過去に実行したゲームによって獲得したプレーヤキャラクタ（能力に基づく強さ）のレベル（プレーヤのゲームレベルとは別で個々のプレーヤキャラクタに規定されているレベル）、
（Ａ４）過去に実行したゲームによって獲得した得点や経験値などのパラメータの値、
（Ａ５）当該ゲームに参加した総時間（ゲーム総時間）、参加回数、若しくは、他のプレーヤとの対戦履歴、又は、
（Ａ６）複数のプレーヤによって構成されるグループのゲームの進行などによって定まるレベル、
に基づいて、各プレーヤの順位付け、偏差値の算出、又は、属する範囲（ランク）への分類を実行する。
【０１９７】
例えば、プレーヤ序列判定処理部１０６は、上述の図４に示すように、ゲーム開始時に、又は、ゲーム中に、プレーヤ関連情報に含まれる、プレーヤのレベル（ゲームレベル）、ゲーム履歴（ゲーム総時間や参加回数）又はゲームに使用した課金額などに基づいて、参加プレーヤ中におけるランクを判定し、各参加プレーヤのランクを決定する。
【０１９８】
また、例えば、プレーヤ序列判定処理部１０６は、ゲーム開始時に、又は、ゲーム中に、プレーヤ関連情報に含まれる、既にゲームによって獲得した得点、ゲーム内通貨、又は、経験値などに基づいて、参加プレーヤ中における順位を決定し、又は、偏差値を算出する。
【０１９９】
なお、図４は、ゲームレベル１−１０が規定されている場合であって、Ｓランク、Ａランク、Ｂランク、及び、Ｃランクの上位から４つのランクに判定する場合には、プレーヤ序列判定処理部１０６は、ゲームレベル「１」〜「３」をＣランク、ゲームレベル「４」〜「６」をＢランク、ゲームレベル「７」〜「９」をＡランク、及び、ゲームレベル「１０」をＳランクと判定した場合を示している（図４の［２］を参照）。
【０２００】
また、上記のランクに代えて、プレーヤＡ、Ｂ、Ｃ、Ｄ及びＥの得点がそれぞれ「１１００」点、「２２０」点、「５８７」点、「３９６」点及び「１０１」点を獲得している場合には、プレーヤ序列判定処理部１０６は、図６に示すように、序列判定処理として、第１位がプレーヤＡ、第２位がプレーヤＣ、第３位がプレーヤＤ、第４位がプレーヤＢ及び第５位がプレーヤＥと順位付けをしてもよい。
【０２０１】
一方、プレーヤ序列判定処理部１０６は、各プレーヤの過去のゲームにおいて各プレーヤに設定された目標達成度合いを示す情報と、に基づいて、前記各プレーヤの序列を判定してもよい。
【０２０２】
例えば、プレーヤ序列判定処理部１０６は、各プレーヤにおける過去の各ゲームの達成条件に対する目標達成度合いを数値化してその平均を目標達成度合いとして算出する。
【０２０３】
例えば、プレーヤ序列判定処理部１０６は、実際に達成した条件（例えば、獲得した得点）／目標として設定された達成条件（目標の得点）×１００によって目標達成度合いを算出する。
【０２０４】
そして、プレーヤ序列判定処理部１０６は、ゲーム開始時に、算出した目標達成度合い（数値化したもの）によって参加プレーヤ中におけるランクを判定して各参加プレーヤのランクを決定してもよい。
【０２０５】
なお、プレーヤ序列判定処理部１０６は、各プレーヤの過去のゲームの結果の情報と、当該過去のゲームにおいて各プレーヤに設定された目標達成度合いを示す情報と、に基づいて、前記各プレーヤの序列を判定してもよい。
【０２０６】
例えば、プレーヤ序列判定処理部１０６は、ゲーム開始時に、又は、ゲーム中に、プレーヤ関連情報に含まれる、プレーヤのレベル（ゲームレベル）、ゲーム履歴（ゲーム総時間や参加回数）又はゲームに使用した課金額などに、目標達成度合い（例えば、上記によって算出した値／１００）を乗算して補正値を算出し、当該算出した補正値によって参加プレーヤ中におけるランクを判定し、各参加プレーヤのランクを決定してもよい。
【０２０７】
また、例えば、プレーヤ序列判定処理部１０６は、ゲーム開始時に、又は、ゲーム中に、プレーヤ関連情報に含まれる、既にゲームによって獲得した得点、ゲーム内通貨、又は、経験値などに目標達成度合いを乗算して補正値を算出し、当該算出した補正値によって、参加プレーヤ中における順位を決定し、又は、偏差値を算出してもよい。
【０２０８】
この場合には、各プレーヤの適切な実力に基づいて、各プレーヤの序列を判定すること、及び、各プレーヤに対する適切な達成条件を設定することができるので、各プレーヤのレベルや能力に沿ったゲームを実行することができるようになっている。
【０２０９】
［４．５］達成条件設定処理
次に、図７を用いて、本実施形態における達成条件設定処理について説明する。なお、図７は、本実施形態における達成条件設定処理を説明するための図である。
【０２１０】
達成条件設定部１０７は、ゲーム開始前に、又は、ゲーム中に、序列判定処理の結果に基づいて、ゲームに参加するプレーヤ毎に、該当するプレーヤが操作するプレーヤキャラクタによって当該ゲーム中に達成すべき達成条件を設定する達成条件設定処理を実行する。
【０２１１】
特に、達成条件設定部１０７は、ゲーム開始前に、又は、ゲーム中に、例えば、ランクや順位が高いなどの序列が高い参加プレーヤには、達成条件を成立し難い厳しい条件を設定し、ランクや順位が低いなどの序列が低い参加プレーヤには、達成条件を成立しやすい容易な条件を設定する。
【０２１２】
そして、達成条件設定部１０７は、設定した達成条件を示す情報を該当するプレーヤのプレーヤ関連情報に記憶する。
【０２１３】
例えば、図７に示すように、第１位がプレーヤＡ、第２位がプレーヤＣ、第３位がプレーヤＤ、第４位がプレーヤＢ及び第５位がプレーヤＥと順位付けされた場合においては、
達成条件設定部１０７は、達成条件として、プレーヤＡに対してコイン（アイテム）を１０個獲得する条件、プレーヤＣに対してコイン（アイテム）を７個獲得する条件、プレーヤＤに対してコイン（アイテム）を４個獲得する条件、プレーヤＢに対してコイン（アイテム）を２個獲得する条件、及び、プレーヤＥに対してコイン（アイテム）を１個獲得する条件を設定する。
【０２１４】
また、達成条件設定部１０７は、序列判定処理の結果とともに、ゲームに参加する全参加プレーヤのプレーヤ関連情報に基づいて、プレーヤ毎の達成条件を設定してもよい。
【０２１５】
例えば、この場合には、達成条件設定部１０７は、例えば、レベルが高いプレーヤ（ランクが高いプレーヤ）が多い場合には、一般的にゲームを進行させることさえも難しくなることから、レベルが低いプレーヤも含めて達成条件を全体的に低くし、レベルが低いプレーヤ（ランクが低いプレーヤ）が多い場合には、一般的に容易にゲームを進行させることが可能となることから、達成条件を全体的に高くしてもよい。
【０２１６】
すなわち、達成条件設定部１０７は、このような場合には、参加する他のプレーヤのレベル、順位又は偏差値に基づいて、プレーヤの序列だけではなく、ゲーム自体の進み具合（難しさ）が変動を考慮し、ゲームの進行状態（容易性や困難性の変化）と達成条件のバランスを図るために、各プレーヤにおける達成条件を変化させることが可能な構成を有している。
【０２１７】
例えば、図４に示すように、プレーヤＡがＳランク、プレーヤＣ及びＤがＢランク、プレーヤＢがＣランク、並びに、プレーヤＥがＡランクの場合には、達成条件設定部１０７は、達成条件として、プレーヤＡに対してコイン（アイテム）を７個獲得する条件、プレーヤＣ及びプレーヤＤに対してコイン（アイテム）を３個獲得する条件、プレーヤＢに対してコイン（アイテム）を１個獲得する条件、及び、プレーヤＥに対してコイン（アイテム）を５個獲得する条件を設定する（図４の［３］参照）。
【０２１８】
一方、達成条件設定部１０７は、該当するプレーヤにおいては、達成条件を設定しなくてもよい。
【０２１９】
例えば、達成条件設定部１０７は、レベルや能力の高いプレーヤに対しては、そもそも勝ち抜けし、又は、優勝するなどのゲームを十分堪能することができることから、弱者救済の観点から、ゲームの報奨的な観点の高い達成条件の達成に対しては、レベルや能力の低いプレーヤに対してのみ達成条件を設定し、達成条件を設定しなくてもよい。
【０２２０】
なお、達成条件設定部１０７は、達成条件設定処理時に、達成条件を達成した際に該当するプレーヤに付与される特典（種別、数、又は、タイミングなど）を決定し、当該特典に関する情報（以下、「特典情報」という。）を、該当する達成条件情報として、記憶してもよい。
【０２２１】
また、本実施形態においては、達成条件を達成した際に該当するプレーヤに付与される特典（種別、数、又は、タイミングなど）が規定されている特典情報がゲームデータ記憶部１４４に記憶されていてもよい。
【０２２２】
この場合には、ゲームデータ記憶部１４４には、達成条件設定処理において設定される各達成条件に対応付けて特典情報が記憶されていればよい。
【０２２３】
［４．６］条件達成判定処理及び判定結果提示処理
次に、本実施形態における条件達成判定処理について説明する。
【０２２４】
達成条件判定部１０８は、ゲーム中又はゲーム終了後などの所与のタイミングで、参加プレーヤ毎に、各プレーヤが操作するプレーヤキャラクタによって、設定された達成条件を達成したか否かを判定する条件達成判定処理を実行する。
【０２２５】
具体的には、達成条件判定部１０８は、所与のタイミングに、参加プレーヤ毎に、プレーヤ関連情報に記憶された達成条件情報及び達成条件関連情報を参照し、参照した達成条件情報及び達成条件関連情報に基づいて、参加プレーヤ毎に、各プレーヤが操作するプレーヤキャラクタによって、設定された達成条件を達成したか否かを判定する条件達成判定処理を実行する。
【０２２６】
そして、達成条件判定部１０８は、設定された達成条件を達成した参加プレーヤの達成条件関連情報に、特典の付与に関する特典付与情報を記憶し、当該設定された達成条件が未達の参加プレーヤの達成条件関連情報に、当該達成条件が未達である旨の情報（以下、「達成条件未達情報」という。）を記憶する。
【０２２７】
一方、情報提供部１１０は、各端末装置２０とそれぞれ連動して、達成条件関連情報に基づいて、判定された条件達成判定処理の結果を該当するプレーヤに提示するための判定結果提示制御処理を実行する。
【０２２８】
特に、情報提供部１１０は、達成条件を達成したプレーヤに対しては、達成条件を達成した旨、及び、獲得すべき特典（プレーヤキャラクタが使用するアイテムや能力、ゲーム内通貨、及び、ガチャを実行する権利や当該ガチャによって獲得するアイテムの当選確率やレア度を変更するための権利など）を示す特典付与情報を提示するための制御を実行する。
【０２２９】
また、情報提供部１１０は、達成条件が未達のプレーヤに対しては、達成条件に不足した条件などを含む達成条件未達情報を提示するための制御を実行する。
【０２３０】
［４．７］特典付与制御処理
次に、図８〜図１０を用いて、本実施形態における特典付与制御処理について説明する。なお、図８〜図１０は、本実施形態における特典付与制御処理を説明するための図である。
【０２３１】
特典管理部１１１は、条件達成判定処理の結果に基づいて、達成条件を具備したプレーヤキャラクタ又は当該プレーヤキャラクタを操作するプレーヤに対して、該当する特典付与情報を参照しつつ、プレーヤキャラクタが使用するアイテムや能力、ゲーム内通貨、及び、ガチャを実行する権利や当該ガチャによって獲得するアイテムの当選確率やレア度を変更するための権利などの特典を付与する。
【０２３２】
特に、特典管理部１１１は、参加プレーヤにおけるゲームレベルのレベル差や能力差に無関係に達成条件を具備した場合に、該当する参加プレーヤに特典を付与するための特典付与制御処理を実行する。ただし、特典管理部１１１は、当該レベルや能力が高いほど、当該レベルや能力が低いプレーヤキャラクタが達成条件を具備した場合に比べて、価値が高い特典を付与することが好ましい。
【０２３３】
一方、特典管理部１１１は、プレーヤに対してゲームを最後まで興趣させるために、特典付与制御処理として、達成条件が数量に関する条件の場合には、当該達成条件を超える数量に応じて、特典の質・レベル・レア度などを向上させること、又は、特典の量を増加させることなど、付与する特典を変化させてもよい。
【０２３４】
例えば、達成条件が、数量に関する条件として、所定数の特定のアイテムを獲得させ、かつ、図８（Ａ）及び（Ｂ）に示すように、参加プレーヤのランクに応じて、当該数量の変化に対応付けて質の異なる特典としての「メダル」のアイテムを付与する場合を想定する。
【０２３５】
この場合には、特典管理部１１１は、達成条件が達成されると、図８（Ａ）に示すように、ランクＳのプレーヤに対しては、特定アイテムが所定数（例えば５個）の場合には、「銅メダル」、特定アイムが所定数＋１個以上所定数＋５個以内の場合には、「銀メダル」、及び、特定アイムが所定数＋６個以上の場合には、「金メダル」を、特典として付与する特典付与制御処理を実行する。
【０２３６】
その一方、特典管理部１１１は、達成条件が達成されると、図８（Ｂ）に示すように、ランクＣのプレーヤに対しては、特定アイムが所定数（１個）の場合には、「銅メダル」、特定アイムが所定数＋１個の場合には、「銀メダル」、及び、特定アイムが所定数＋２個以上の場合には、「金メダル」を、特典として付与する特典付与制御処理を実行する。
【０２３７】
また、特典管理部１１１は、達成条件を達成させるための戦略性を要求してゲームの興趣性を向上させるために、達成条件が達成するまでの期間に応じて、特典の質・レベル・レア度などを向上させること、及び、特典の量を増加させることなど、付与する特典を変化させてもよい。
【０２３８】
例えば、達成条件が、図９（Ａ）及び（Ｂ）に示すように、参加プレーヤのランクに応じて、達成条件を達成させるための期間の変化に対応付けて質の異なる特典としての「メダル」のアイテムを付与する場合を想定する。
【０２３９】
この場合には、特典管理部１１１は、達成条件が達成されると、図９（Ａ）に示すように、ランクＳの参加プレータに対しては、達成条件がゲーム開始後５分以内に達成された場合には、「金メダル」、当該達成条件がゲーム開始から６分秒以上１５分以内に達成した場合には、「銀メダル」、及び、当該達成条件がゲーム開始から１６分以上で達成した場合には、「銅メダル」を、特典として付与する特典付与制御処理を実行する。ただし、計測は分単位で実行しているものとする。
【０２４０】
その一方、特典管理部１１１は、達成条件が達成されると、図９（Ｂ）に示すように、ランクＣの参加プレータに対しては、達成条件がゲーム開始後１５分以内に達成された場合には、「金メダル」、当該達成条件がゲーム開始から１６分以上３０分以内に達成した場合には、「銀メダル」、及び、当該達成条件がゲーム開始から３１分以上で達成した場合には、「銅メダル」を、特典として付与する特典付与制御処理を実行する。ただし、同様に、計測は分単位で実行しているものとする。
【０２４１】
さらに、特典管理部１１１は、ゲームを終了時まで参加プレーヤに興趣させるために、達成条件が達成した参加プレーヤに対して、該当するプレーヤのゲームにおける結果に応じて、付与する特典を変化させてもよい。
【０２４２】
例えば、達成条件が、図１０（Ａ）及び（Ｂ）に示すように、参加プレーヤのランクに応じて、ゲーム終了後の得点に対応付けて質の異なる特典としての「メダル」のアイテムを付与する場合を想定する。
【０２４３】
この場合には、特典管理部１１１は、達成条件が達成されると、図１０（Ａ）に示すように、ランクＳの参加プレータに対しては、得点が１０００点以下の場合には、「銅メダ
ル」、得点が１００１点以上２０００点以下の場合には、「銀メダル」、及び、得点が２００１点以上で達成した場合には、「金メダル」を、特典として付与する特典付与制御処理を実行する。
【０２４４】
その一方、特典管理部１１１は、達成条件が達成されると、図１０（Ｂ）に示すように、ランクＣの参加プレータに対しては、得点が２００点以下の場合には、「銅メダル」、得点が２０１点以上５００点以下の場合には、「銀メダル」、及び、得点が５０１点以上で達成した場合には、「金メダル」を、特典として付与する特典付与制御処理を実行する。
【０２４５】
なお、本実施形態においては、特典管理部１１１は、条件達成判定処理によって達成条件を具備していないと判定された場合（未達と判定された場合）には、該当するプレーヤに対して不利益を付与してもよい。
【０２４６】
例えば、特典管理部１１１は、達成条件を具備していないと判定された参加プレーヤに対しては、ゲーム内通貨「１００」コインを徴収する。
【０２４７】
また、上記の実施形態においては、プレーヤに対して特典を付与することを例に説明したが、プレーヤキャラクタのレベルやランクを上げる、プレーヤキャラクタのバージョンがアップするなどプレーヤキャラクタに対して特典が付与されてもよい。
【０２４８】
［４．８］変形例
次に、本実施形態の変形例について説明する。
【０２４９】
（変形例１：チームによる共同の達成条件）
達成条件設定部１０７は、複数の参加プレーヤによって形成されるチームによってゲームを実行する場合には、ゲームに参加するプレーヤ毎に設定される達成条件として、ゲームに参加する他の参加プレーヤと共同で達成すべき条件を設定してもよい。
【０２５０】
具体的には、達成条件設定部１０７は、参加プレーヤが属するチームの他の参加プレーヤと共同で達成すべき達成条件（例えば、他のチームから特定のアイテムを奪取すること）を設定してもよい。
【０２５１】
（変形例２：チームの連帯責任による条件達成判定処理１）
達成条件判定部１０８は、同一チーム内における各参加プレーヤに個々に異なる達成条件を設定し、かつ、達成条件判定部１０８は、同一チーム内における各参加プレーヤがそれぞれ達成条件を達成した場合に、当該各参加プレーヤの達成条件が達成したと判定してもよい。
【０２５２】
すなわち、同一チームにプレーヤＡ及びプレーヤＢが属する場合であって、プレーヤＡ及びプレーヤＢの双方が達成条件を達成した場合には、達成条件判定部１０８は、プレーヤＡ及びプレーヤＢとの達成条件が達成したと判定するが、プレーヤＡ及びのみ達成条件を達成した場合には、達成条件判定部１０８は、プレーヤＡ及びプレーヤＢとも達成条件が未達と判定する。
【０２５３】
（変形例３：チームの連帯責任による条件達成判定処理２）
特典管理部１１１は、複数のプレーヤから構成されるチームとしてゲームに参加するプレーヤに対しては、条件達成判定処理によって同一のチームに所属するすべてのプレーヤに設定された達成条件を具備したと判定された場合には、付与する所与の特典を変化させ、又は、当該付与する所与の特典とともに特別な特典を追加付与してもよい。
【０２５４】
すなわち、特典管理部１１１は、レベル差や能力差があるプレーヤとチームが構成された場合であっても、又は、レベルや能力の低い若しくは高いプレーヤによってチームが構成された場合であっても、チーム戦としてのゲームの興趣性を向上させることができるとともに、いかなるプレーヤであってもゲームに興趣性をもたせることが可能な構成を有している。
【０２５５】
特に、特典管理部１１１は、付与する所与の特典の変化としては、特典の質・レベル・レア度などを向上させること、及び、特典の量を増加させることなど、付与する特典を変化させる。
【０２５６】
また、特典管理部１１１は、特別な特典の追加としては、達成条件を具備することによって付与される特典の他に、ポイントの付与、アイテムの付与、又は、エネルギーの回復など、ボーナス的な特典を追加する。
【０２５７】
なお、特別な特典には、個々に付与される特典と同一の特典であってもよいし、異なる特典であってもよい。
【０２５８】
（変形例４：チームの他の参加プレーヤへの判定結果提示制御処理）
情報提供部１１０は、達成条件を達成したプレーヤにおいて、当該プレーヤとともに、同一チームの他の参加プレーヤに対して、達成条件を達成した旨、及び、獲得すべき特典を示す特典付与情報を提示するための制御を実行してもよい。
【０２５９】
また、情報提供部１１０は、達成条件が未達のプレーヤにおいて、当該プレーヤとともに、同一チームの他の参加プレーヤに対して、達成条件に不足した条件などを含む達成条件未達情報を提示するための制御を実行してもよい。
【０２６０】
すなわち、情報提供部１１０は、達成条件が設定されたプレーヤだけでなく、当該プレーヤを含む複数のプレーヤから構成されるチームに属する他のプレーヤにたいしても、達成条件を達成したか否かを示す判定結果を提示する判定結果提示制御処理を実行してもよい。
【０２６１】
［５］本実施形態における動作
次に、図１１を用いて本実施形態のサーバ装置１０によって実行されるゲーム処理（プレーヤ毎の達成条件に基づいてゲームを実行するゲーム処理）の動作について説明する。
【０２６２】
なお、図１１は、本実施形態のサーバ装置１０によって実行されるゲーム処理（プレーヤ毎の達成条件に基づいてゲームを実行するゲーム処理）の動作を示すフローチャートである。
【０２６３】
本動作においては、ゲーム中の所定のタイミングに、達成条件判定処理の結果を該当する端末装置２０に表示させる判定結果提示制御処理を実行するものとし、ゲームの終了後に特典を付与する特典付与制御処理を実行するものとして説明する。
【０２６４】
また、本動作においては、各プレーヤの必要なプレーヤ関連情報はプレーヤ情報記憶部１４６に既に登録され、かつ、該当するプレーヤ関連情報については、適宜、更新されているものとする。
【０２６５】
まず、マッチング処理部１０５は、ゲームの開始タイミングが到来すると（ステップＳ１０１）、参加を希望する複数のプレーヤの中から所定の条件を有するプレーヤを参加プ
レーヤとして抽出するマッチング処理を実行する（ステップＳ１０２）。
【０２６６】
次いで、プレーヤ序列判定処理部１０６は、マッチング処理によって参加が決定した各プレーヤのプレーヤ関連情報を取得し（ステップＳ１０３）、当該取得した各プレーヤ関連情報に基づいて、当該各プレーヤのゲームに参加する複数の参加プレーヤの中におけるランク、順位、又は、偏差値を判定し、各参加プレーヤの序列を決定する序列判定処理を実行する（スッテプＳ１０４）。
【０２６７】
次いで、達成条件設定部１０７は、序列判定処理の結果に基づいて、ゲームに参加するプレーヤ毎に、該当するプレーヤが操作するプレーヤキャラクタによって当該ゲーム中に達成すべき達成条件を設定する達成条件設定処理を実行する（ステップＳ１０５）。
【０２６８】
次いで、ゲーム管理部１０３は、対戦ゲームを開始させて当該対戦ゲームに関する各種のゲーム処理の実行を開始させる（ステップＳ１０６）。
【０２６９】
次いで、ゲーム管理部１０３は、ゲーム終了のタイミングであるか否かを判定する（ステップＳ１０７）。
【０２７０】
このとき、ゲーム管理部１０３は、ゲーム終了のタイミングでないと判定した場合には、ステップＳ１０８の処理に移行し、当該ゲーム終了のタイミングであると判定した場合には、ステップＳ１１２の処理に移行する。
【０２７１】
次いで、達成条件判定部１０８は、ステップＳ１０７の処理において、ゲーム終了のタイミングでないと判定した場合であって、ゲーム管理部１０３と連動し、所与のタイミングであることを検出すると（ステップＳ１０８）、参加プレーヤ毎に、設定された達成条件を達成したか否かを判定する条件達成判定処理を実行する（ステップＳ１０９）。
【０２７２】
次いで、達成条件判定部１０８は、参加プレーヤ毎に、条件達成判定処理の結果を、プレーヤ関連情報に規定する（ステップＳ１１０）。
【０２７３】
次いで、情報提供部１１０は、各端末装置２０とそれぞれ連動して、達成条件関連情報に基づいて、判定された条件達成判定処理の結果を該当するプレーヤに提示するための判定結果提示制御処理を実行し（ステップＳ１１１）、ステップＳ１０７の処理に移行する。
【０２７４】
一方、特典管理部１１１は、ゲーム終了のタイミングであると判定した場合には、条件達成判定処理の結果（プレーヤ関連情報）に基づいて、達成条件を具備したプレーヤキャラクタを操作するプレーヤに対して、該当する特典付与情報を参照しつつ、所定の特典を付与し（ステップＳ１１２）、本動作を終了させる。
【０２７５】
なお、特典管理部１１１は、このとき、達成条件の達成状況（数量的な条件の場合にはその数や達成タイミング）に基づいて、付与する特典を変更してもよい。
【０２７６】
［６］その他
本発明は、上記実施形態で説明したものに限らず、種々の変形実施が可能である。例えば、明細書又は図面中の記載において広義や同義な用語として引用された用語は、明細書又は図面中の他の記載においても広義や同義な用語に置き換えることができる。
【０２７７】
本実施形態は、１のサーバ装置１０によって各ゲームを端末装置２０に提供してもよいし、複数のサーバ装置１０を連動させてサーバシステムを構築し、各ゲームを端末装置に
提供してもよい。
【０２７８】
さらに、本実施形態においては、サーバ装置１０によって提供されたゲームを端末装置２０によって実行されているが、操作入力を除き、上記の端末装置２０の処理部２００の各機能及びゲームプログラムの実行をサーバ装置１０で実行し、当該端末装置２０は、操作入力とストリーミングによる画像表示を実行することによって、上記のゲームを実現してもよい。
【０２７９】
また、本実施形態においては、サーバ装置１０の機能を備えた単一のゲーム装置、すなわち、サーバ装置などの他の機器に依存せず単独で動作する装置（スタンドアローン）によって実現してもよく、この場合には、複数の入力端末装置があればよい。
【０２８０】
そして、このようなゲーム端末装置を有線又は無線によって複数連結させ、１のゲーム装置がサーバ装置１０として機能して、複数のゲーム装置によって実現することも可能である。
【０２８１】
また、本実施形態においては、ネットワークを通じて端末装置２０と連動して実行するサーバ装置１０に本発明のゲームシステムを適用しているが、タブレット型情報端末装置やパーソナルコンピュータ、又は、アミューズメントパークに設置されるゲーム装置としても適用することができる。
【０２８２】
本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【０２８３】
上記のように、本発明の実施形態について詳細に説明したが、本発明の新規事項及び効果から実体的に逸脱しない多くの変形が可能であることは当業者には容易に理解できるであろう。したがって、このような変形例はすべて本発明の範囲に含まれるものとする。
【符号の説明】
【０２８４】
１０  …  サーバ装置
２０  …  端末装置
１００  …  処理部
１０１  …  通信制御部
１０２  …  Ｗｅｂ処理部
１０３  …  ゲーム管理部
１０４  …  移動制御部
１０５  …  マッチング処理部
１０６  …  プレーヤ序列判定部
１０７  …  達成条件設定部
１０８  …  達成条件判定部
１０９  …  タイマ管理部
１１０  …  情報提供部
１１１  …  特典管理部
１２０  …  入力部
１３０  …  表示部
１４０  …  記憶部
１４２  …  主記憶部
１４４  …  ゲームデータ記憶部
１４６  …  プレーヤ情報記憶部 
１８０  …  情報記憶媒体
１９６  …  通信部
２００  …  処理部
２１０  …  オブジェクト空間設定部
２１２  …  表示制御部
２１３  …  入力受付処理部
２１４  …  ゲーム制御部
２１５  …  ゲーム演算部
２１６  …  仮想カメラ制御部
２１７  …  ゲーム管理部
２２０  …  描画部
２３０  …  音処理部
２７０  …  記憶部
２７１  …  主記憶部
２７２  …  画像バッファ
２７３  …  プレーヤ情報記憶部
２７４  …  ゲームデータ記憶部
２６０  …  入力部
２６２  …  検出部
２８０  …  情報記憶媒体
２９０  …  表示部
２９２  …  音出力部
２９６  …  通信部
【図１】
2020162728.tif 000003
【図２】
2020162728.tif 000004
【図３】
2020162728.tif 000005
【図４】
2020162728.tif 000006
【図５】
2020162728.tif 000007
【図６】
2020162728.tif 000008
【図７】
2020162728.tif 000009
【図８】
2020162728.tif 000010
【図９】
2020162728.tif 000011
【図１０】
2020162728.tif 000012
【図１１】
2020162728.tif 000013